(57)【要約】  フラットストラップを保持する装置が、シャシと、シャシの内側で回転する第１および第２の回転ハブとを含む。シャシの内側は、シャシの向かい合った２つの側壁と、側壁に接合された複数の横棒とによって境界されている。シャシは、第１および第２の端部を有し、各端部は、第１および第２の回転ハブを含む。各回転ハブの把持表面が、シャシの内側で複数のシャシ横棒上に存在する第１および第２の把持領域に近接する。第１および第２の把持領域は、互いにおおよそ直角をなすように配置される。第１および第２の回転ハブは、第１および第２の把持領域に対して接近および離反する方向に回転するように配置される。【選択図】図１
2019500962.tif 000002
【特許請求の範囲】
【請求項１】
フラットストラップを保持する装置であって、
第１の把持領域および第２の把持領域を含むシャシと、
前記シャシに取り付けられた第１の回転ハブであって、第１の把持表面を含み、前記第１の把持表面が、前記第１の回転ハブが回転するときに前記第１の把持表面が前記第１の把持領域に向かい合うように配向された、第１の回転ハブと、
前記シャシに取り付けられた第２の回転ハブであって、第２の把持表面を含み、前記第２の把持表面が、前記第２の回転ハブが回転するときに前記第２の把持表面が前記第２の把持領域に向かい合うように配向された、第２の回転ハブと、
を備え、
前記第１の回転ハブの前記第１の把持表面が、前記第１の回転ハブが第１の方向に回転されたときに、前記第１の把持領域に向かって回転し、前記第２の回転ハブの前記第２の把持表面が、前記第２の回転ハブが前記第１の方向に回転されたときに、前記第２の把持領域に向かって回転する、装置。
【請求項２】
前記第１および第２の把持領域が、互いにおおよそ直角をなす、請求項１に記載の装置。
【請求項３】
前記シャシが、第１の側および第２の側を有し、
前記第１の把持領域および前記第１の把持表面が、第１の把持点を形成し、前記第２の把持領域および前記第２の把持表面が、第２の把持点を形成し、
前記第１の把持点が、フラットストラップのための第１の予定入口点に位置する第１の入口と、前記フラットストラップのための第１の予定出口点に位置する第１の出口とを有し、前記第２の把持点が、前記フラットストラップのための第２の予定入口点に位置する第２の入口と、前記フラットストラップのための第２の予定出口点に位置する第２の出口とを有し、
前記第１の出口および前記第２の入口が、前記シャシの前記第１の側に位置する、請求項１に記載の装置。
【請求項４】
前記シャシの前記第１の側が、保護片を含む、請求項３に記載の装置。
【請求項５】
前記第１および第２の把持領域が、複数の隆起部を含み、前記第１および第２の把持表面が、係合する複数の谷部を含み、前記複数の隆起部が、前記係合する複数の谷部と相補的な形で位置合わせされる、請求項１に記載の装置。
【請求項６】
前記第１および第２の把持表面のそれぞれが、把持パターンを含む、請求項３に記載の装置。
【請求項７】
前記把持パターンが、指向性タブの不規則なパターンである、請求項６に記載の装置。
【請求項８】
前記指向性タブが、前記第１の入口および前記第２の入口に対して傾斜面を形成するように成形され、それにより、前記フラットストラップが、挿入されたときに前記指向性タブ上で傾斜をつけられる、請求項７に記載の装置。
【請求項９】
前記指向性タブが、前記第１の出口および前記第２の出口に対しておおよそ垂直な面を形成するように成形される、請求項８に記載の装置。
【請求項１０】
フラットストラップを保持する装置であって、
第１の把持領域および第２の把持領域を含むシャシと、
前記シャシに取り付けられた第１のカムロックであって、通常は閉じられており、第１の把持表面を含み、前記第１の把持表面が、前記第１のカムロックが回転するときに前記第１の把持表面が前記第１の把持領域に向かい合うように配向された、第１のカムロックと、
前記シャシに取り付けられた第２のカムロックであって、通常は閉じられており、第２の把持表面を含み、前記第２の把持表面が、前記第２のカムロックが回転するときに前記第２の把持表面が前記第２の把持領域に向かい合うように配向された、第２のカムロックと、
を備え、
前記第１のカムロックの前記第１の把持表面が、前記第１のカムロックが第１の方向に回転されたときに、前記第１の把持領域に向かって回転し、前記第２のカムロックの前記第２の把持表面が、前記第２のカムロックが前記第１の方向に回転されたときに、前記第２の把持領域に向かって回転する、装置。
【請求項１１】
前記シャシが、第１の側および第２の側を有し、
前記第１の把持領域および前記第１の把持表面が、第１の把持点を形成し、前記第２の把持領域および前記第２の把持表面が、第２の把持点を形成し、
前記第１の把持点が、フラットストラップのための第１の予定入口点に位置する第１の入口と、前記フラットストラップのための第１の予定出口点に位置する第１の出口とを有し、前記第２の把持点が、前記フラットストラップのための第２の予定入口点に位置する第２の入口と、前記フラットストラップのための第２の予定出口点に位置する第２の出口とを有し、
前記第１の出口および前記第２の入口が、前記シャシの前記第１の側に位置する、請求項１０に記載の装置。
【請求項１２】
前記フラットストラップが最初に前記第１の予定入口点を通して送り込まれた場合には、前記第１のカムロックがロックされ、前記フラットストラップが最初に前記第２の予定入口点を通して送り込まれた場合には、前記第２のカムロックがロックする、請求項１１に記載の装置。
【請求項１３】
前記第１および第２の把持領域が、互いにおおよそ直角をなす、請求項１０に記載の装置。
【請求項１４】
フラットストラップを使用する方法であって、
フラットストラップを保持する装置を用意するステップであって、前記フラットストラップを保持する装置が、
第１の把持領域および第２の把持領域を含むシャシと、
前記シャシに取り付けられた第１の回転ハブであって、第１の把持表面を含み、前記第１の把持表面が、前記第１の回転ハブが回転するときに前記第１の把持表面が前記第１の把持領域に向かい合うように配向された、第１の回転ハブと、
前記シャシに取り付けられた第２の回転ハブであって、第２の把持表面を含み、前記第２の把持表面が、前記第２の回転ハブが回転するときに前記第２の把持表面が前記第２の把持領域に向かい合うように配向された、第２の回転ハブと、
を含み、
前記第１の回転ハブが第１の方向に回転されたときに、前記第１の回転ハブの前記第１の回転表面が前記第１の把持領域に向かって回転し、前記第２の回転ハブが前記第１の方向に回転されたときに、前記第２の回転ハブの前記第２の把持表面が前記第２の把持領域に向かって回転する、ステップと、
前記第１の回転ハブの周りにフラットストラップを巡らせるステップと、
固定点の周りに前記フラットストラップを巡らせるステップと、
前記第２の回転ハブの周りに前記フラットストラップを巡らせるステップと、
を含む方法。
【請求項１５】
前記第１の回転ハブの周りに前記フラットストラップを巡らせるステップにより、前記フラットストラップと前記フラットストラップとが一列になる、請求項１４に記載の方法。
【請求項１６】
前記シャシが、第１および第２の側を有し、
前記第１の把持領域および前記第１の把持表面が、第１の把持点を形成し、前記第２の把持領域および前記第２の把持表面が、第２の把持点を形成し、
前記第１の把持点が、フラットストラップのための第１の予定入口点に位置する第１の入口と、前記フラットストラップのための第１の予定出口点に位置する第１の出口とを有し、前記第２の把持点が、前記フラットストラップのための第２の予定入口点に位置する第２の入口と、前記フラットストラップのための第２の予定出口点に位置する第２の出口とを有し、
前記第１の出口および前記第２の入口が、前記シャシの前記第１の側に位置する、請求項１４に記載の方法。
【請求項１７】
前記巡らせるステップにより２点間配置がもたらされるように、前記フラットストラップが一端において固定点に取り付けられる、請求項１４に記載の方法。
【請求項１８】
前記フラットストラップ、および前記フラットストラップを保持する装置が、前記巡らせるステップにより輪状構成に配置される、請求項１４に記載の方法。
【請求項１９】
前記フラットストラップを引き締めるために前記フラットストラップを引っ張って前記フラットストラップを前進させるステップをさらに含み、前記第２の回転ハブが、前記フラットストラップが後方に滑るのを防止し、前記フラットストラップを保持する装置が、前記引っ張るステップに機械的利点を提供する、請求項１４に記載の方法。
【請求項２０】
前記機械的利点が、３対１の張力の利点である、請求項１９に記載の方法。
【発明の詳細な説明】
【技術分野】
【０００１】
[0001]本出願は、フラットストラップ（ウェビング）とともに使用される装置に関し、具体的には、フラットストラップ（flat strap）を固定するためまたはフラットストラップを使用して物体を固定するための装置および装置の使用方法に関する。
【背景技術】
【０００２】
[0002]荷物を固定するためにフラットストラップを利用する、産業に共通のデバイスは、通常、２つの広範なデバイス、すなわち、縫製ストラップカムロックデバイス（ｓｅｗｎ−ｓｔｒａｐ  ｃａｍｌｏｃｋ  ｄｅｖｉｃｅ）およびレバーラチェットデバイス（ｌｅｖｅｒ  ｒａｔｃｈｅｔｉｎｇ  ｄｅｖｉｃｅ）を包含する。縫製ストラップカムロックデバイスは、デバイスハウジングにある開口部を通して定着されたストラップの一端に縫製された輪によりデバイスに恒久的に取り付けられたストラップを利用し、ストラップの反対側の自由端は、ストラップの自由端をハブとデバイスハウジングとの間に捕捉するために回転される偏心的に成形されたハブにより、デバイス内にロックされる。レバーラチェットデバイスもまた、デバイスに恒久的に取り付けられたストラップの部分と、ラチェットレバー機構によりデバイス内に引き込まれてハブ上に捕捉される、非恒久的に取り付けられた第２のストラップとを組み込む。縫製ストラップカムロックデバイスは、一般に輪状配置（ｌｏｏｐ  ｃｏｎｆｉｇｕｒａｔｉｏｎ）で使用され、輪状配置では、ストラップは、固定される物体を取り囲んで、それらを結び付け、また、場合により、ストラップの自由端がデバイスに引き込まれてデバイス内で保持されるときに不動係止部がストラップによって包囲されるのであれば、不動係止部にも結び付ける。ラチェットデバイスは、より典型的には、２点間配置（ｐｏｉｎｔ−ｔｏ−ｐｏｉｎｔ  ｃｏｎｆｉｇｕｒａｔｉｏｎ）で使用され、２点間配置では、物体は、静止表面と、下層の表面にしっかりと取り付けられた２つの係止点間にまたがる（ラチェットレバーが誘導した）高度の張力をかけられたストラップとの間で拘束される。ラチェット機構は、より単純なカムロックデバイスに比べてサイズが遙かに大きくなりがちであるが、典型的には、遙かに多くの荷物固定張力をストラップに生じさせることができる。両方のタイプのデバイスにおいて、ストラップの一部分が何らかの方法でデバイスに恒久的に取り付けられ、ストラップのその部分が何らかの形で破損または損傷した場合には、両方のタイプのデバイスを使用不可能にする。
【０００３】
[0003]さらに、デバイスに一端または１つのストラップが恒久的に取り付けられると、デバイスは、取り付けられたストラップを利用することに限定される。したがって、縫製ストラップカムロックの場合、デバイスを単一の長さのストラップに限定することになり、また、両方のタイプのデバイスにおいて、特定のストラップの材料、厚さ、したがって強度および耐久性に限定することになる。ほとんどの場合、耐荷重限界は、デバイスとともに利用されるストラップ材料の固有の耐荷重能力によって決定される。
【０００４】
[0004]デバイスの２つの形式間の設計および構造的な違いにより、使用者は、より単純で、より小型で、より使いやすい縫製ストラップカムロックデバイスか、または、より大型で、扱いにくく、より複雑で、張力調整能力がより高いラチェットデバイスのどちらかに限定される。
【０００５】
[0005]また、どちらの場合でも、デバイスに恒久的に取り付けられたストラップにより、縫製ストラップカムロックおよびレバーラチェットデバイスは、それら自体が、配置されたいかなる耐荷重構成においても、位置的に限定される。縫製ストラップカムロックの場合、張力調整デバイスは、ストラップの一端に拘束される。レバーラチェットデバイスの場合、ストラップの恒久的に取り付けられる部分の長さは、ラチェットデバイスの物理的な位置を決定する。次いで、固定位置のデバイスにストラップを引き込むことにより、配置されたストラップ構成の張力調整がもたらされる。
【発明の概要】
【課題を解決するための手段】
【０００６】
[0006]本明細書で説明される装置の実施形態は、ストラップが装置から取外し可能なままであるという点で、ストラップが恒久的に取り付けられるデバイスに関連する問題を緩和する。装置の実施形態は、ある範囲の厚さを包含するストラップに対応する手段を組み込んで、ストラップの交換可能性を、単一のストラップ厚さに対応するように最適化されたデバイスに比べてより価値の高いものにする。本明細書で説明される装置の実施形態はまた、装置内の張力調整能力を増幅するための手段を提供して、装置を、機能に関してはラチェット式デバイスの高度な張力調整能力に非常に近いものにしながらも、サイズに関しては依然としてより小型の縫製ストラップカムロック式デバイスに非常に近いものにする。
【０００７】
[0007]ストラップの交換可能性は、設定された耐荷重用途においてストラップに沿ってどこにでも都合良く位置決めすることができる小型の装置に組み込まれた張力増幅手段と相まって、今日まで他の調整可能なストラップデバイスによって用いられてこなかった機能性と使いやすさとの相乗効果を一緒に形成する。
【０００８】
[0008]１つの実施形態では、フラットストラップを保持する装置が、シャシを含み、シャシは、第１の把持領域および第２の把持領域を含む。装置は、シャシに取り付けられた第１の回転ハブをさらに含み、第１の回転ハブは、第１の把持表面を含み、第１の把持表面は、第１の回転ハブが回転するときに第１の把持表面が第１の把持領域に向かい合うように配向されている。装置は、シャシに取り付けられた第２の回転ハブをさらに含み、第２の回転ハブは、第２の把持表面を含み、第２の把持表面は、第２の回転ハブが回転するときに第２の把持表面が第２の把持領域に向かい合うように配向されている。第１の回転ハブの第１の把持表面は、第１の回転ハブが第１の方向に回転されたときに、第１の把持領域に向かって回転し、第２の回転ハブの第２の把持表面は、第２の回転ハブが第１の回転方向に回転されたときに、第２の把持領域に向かって回転する。１つの代替形態では、第１および第２の把持領域は、互いにおおよそ直角をなす。別の代替形態では、シャシは、第１および第２の側を有する。さらに、第１の把持領域および第１の把持表面は、第１の把持点を形成し、第２の把持領域および第２の把持表面は、第２の把持点を形成する。さらに、第１の把持点は、フラットストラップのための第１の予定入口点に位置する第１の入口と、フラットストラップのための第１の予定出口点に位置する第１の出口とを有し、第２の把持点は、フラットストラップのための第２の予定入口点に位置する第２の入口と、フラットストラップのための第２の予定出口点に位置する第２の出口とを有する。最後に、第１の出口および第２の入口は、シャシの第１の側に位置する。場合により、シャシの第１の側は、保護片(guard strip)を含む。あるいは、第１および第２の把持領域は、複数の隆起部を含み、第１および第２の把持表面は、係合する複数の谷部を含み、複数の隆起部は、係合する複数の谷部と相補的な形で位置合わせされる。１つの構成では、第１のおよび第２の把持表面のそれぞれは、把持パターンを含む。場合により、把持パターンは、指向性タブの不規則なパターンである。あるいは、指向性タブは、第１の入口および第２の入口に対して傾斜面を形成するように成形され、それにより、フラットストラップは、挿入されたときに指向性タブ上で傾斜をつけられる。別の代替形態では、指向性タブは、第１の出口および第２の出口に対しておおよそ垂直な面を形成するように成形される。
【０００９】
[0009]１つの実施形態では、フラットストラップを保持する装置が、シャシを含み、シャシは、第１の把持領域および第２の把持領域を含む。装置は、シャシに取り付けられた第１のカムロックをさらに含み、第１のカムロックは、通常は閉じられており、第１のカムロックは、第１の把持表面を含み、第１の把持表面は、第１のカムロックが回転するときに第１の把持表面が第１の把持領域に向かい合うように配向されている。装置は、シャシに取り付けられた第２のカムロックをさらに含み、第２のカムロックは、通常は閉じられており、第２のカムロックは、第２の把持表面を含み、第２の把持表面は、第２のカムロックが回転するときに第２の把持表面が第２の把持領域に向かい合うように配向されている。第１のカムロックの第１の把持表面は、第１のカムロックが第１の方向に回転されたときに、第１の把持領域に向かって回転し、第２のカムロックの第２の把持表面は、第２のカムロックが第１の方向に回転されたときに、第２の把持領域に向かって回転する。１つの代替形態では、シャシは、第１および第２の側を有する。さらに、第１の把持領域および第１の把持表面は、第１の把持点を形成し、第２の把持領域および第２の把持表面は、第２の把持点を形成する。さらに、第１の把持点は、フラットストラップのための第１の予定入口点に位置する第１の入口と、フラットストラップのための第１の予定出口点に位置する第１の出口とを有し、第２の把持点は、フラットストラップのための第２の予定入口点に位置する第２の入口と、フラットストラップのための第２の予定出口点に位置する第２の出口とを有する。最後に、第１の出口および第２の入口は、シャシの第１の側に位置する。場合により、フラットストラップが最初に第１の予定入口点を通して送り込まれた場合は、第１のカムロックがロックされ、フラットストラップが最初に第２の予定入口点を通して送り込まれた場合には、第２のカムロックがロックする。あるいは、第１および第２の把持領域は、互いにおおよそ直角をなす。
【００１０】
[0010]１つの実施形態では、フラットストラップを使用する方法が、フラットストラップを保持する装置を用意するステップを含む。フラットストラップを保持する装置は、シャシを含み、シャシは、第１の把持領域および第２の把持領域を含む。装置は、シャシに取り付けられた第１の回転ハブをさらに含み、第１の回転ハブは、第１の把持表面を含み、第１の把持表面は、第１の回転ハブが回転するときに第１の把持表面が第１の把持領域に向かい合うように配向されている。装置は、シャシに取り付けられた第２の回転ハブをさらに含み、第２の回転ハブは、第２の把持表面を含み、第２の把持表面は、第２の回転ハブが回転するときに第２の把持表面が第２の把持領域に向かい合うように配向されている。第１の回転ハブの第１の把持表面は、第１の回転ハブが第１の方向に回転されたときに、第１の把持領域に向かって回転し、第２の回転ハブの第２の把持表面は、第２の回転ハブが第１の方向に回転されたときに、第２の把持領域に向かって回転する。方法は、第１の回転ハブの周りにフラットストラップを巡らせるステップをさらに含む。方法は、固定点の周りにフラットストラップを巡らせるステップをさらに含む。方法は、第２の回転ハブの周りにフラットストラップを巡らせるステップをさらに含む。場合により、第１の回転ハブの周りにフラットストラップを巡らせるステップにより、フラットストラップとフラットストラップとが一列になる。別の代替形態では、シャシは、第１および第２の側を有する。さらに、第１の把持領域および第１の把持表面は、第１の把持点を形成し、第２の把持領域および第２の把持表面は、第２の把持点を形成する。さらに、第１の把持点は、フラットストラップのための第１の予定入口点に位置する第１の入口と、フラットストラップのための第１の予定出口点に位置する第１の出口とを有し、第２の把持点は、フラットストラップのための第２の予定入口点に位置する第２の入口と、フラットストラップのための第２の予定出口点に位置する第２の出口とを有する。最後に、第１の出口および第２の入口は、シャシの第１の側に位置する。別の代替形態では、フラットストラップは、巡らせるステップにより２点間配置がもたらされるように、一端において固定点に取り付けられる。さらに別の代替形態では、フラットストラップ、およびフラットストラップを保持する装置は、巡らせるステップにより輪状構成に配置される。場合により、方法は、フラットストラップを引き締めるためにフラットストラップを引っ張ってフラットストラップを前進させるステップをさらに含み、第２の回転ハブは、フラットストラップが後方に滑るのを防止し、フラットストラップを保持する装置は、引っ張るステップに機械的利点を提供する。１つの構成では、機械的利点は、３対１の張力の利点である。
【図面の簡単な説明】
【００１１】
【図１】[0011]フラットストラップを固定することが可能な装置の一実施形態（１００）の斜視図である。
【図２】[0012]図１に示されたのと同じ実施形態（１００）の分解組立図である。
【図３】[0013]図３Ａは、図１に示された実施形態のシャシ（１１０）の裏側の底面向き斜視図（ｂｏｔｔｏｍ  ｏｒｉｅｎｔｅｄ  ｐｅｒｓｐｅｃｔｉｖｅ  ｖｉｅｗ）である。 [0014]図３Ｂは、図１に示された実施形態のシャシ（１１０）の表側の斜視図である。 [0015]図３Ｃは、図１に示された実施形態のシャシ（１１０）の正面図である。 [0016]図３Ｄは、図１に示された実施形態のシャシ（１１０）の背面図である。
【図４】[0017]図４Ａは、図１に示された実施形態で使用される２つのカムロックのうちの第１のカムロック（１３０）の側面図である。 [0018]図４Ｂは、図１に示された実施形態で使用される２つのカムロックのうちの第１のカムロック（１３０）の正面図である。 [0019]図４Ｃは、図１に示された実施形態で使用される２つのカムロックのうちの第１のカムロック（１３０）の上面前方向き斜視図（ｔｏｐ  ｆｒｏｎｔ  ｏｒｉｅｎｔｅｄ  ｐｅｒｓｐｅｃｔｉｖｅ  ｖｉｅｗ）である。 [0020]図４Ｄは、図１に示された実施形態で使用される２つのカムロックのうちの第１のカムロック（１３０）の底面向き斜視図である。
【図５】[0021]捩りばね（１３６）、ならびにカムロック（１３０）および捩りばね（１３６）をシャシに拘束するために使用される枢動ピン（１３５）とともに構成されていることを示す、図１で示された実施形態で使用される２つのカムロックのうちの第１のカムロック（１３０）の底面向き斜視図である。
【図６】[0022]図６Ａは、図１における実施形態で使用される２つのカムロックのうちの第２のカムロック（１２０）の側面図である。 [0023]図６Ｂは、図１に示された実施形態で使用される２つのカムロックのうちの第２のカムロック（１２０）の底面図である。 [0024]図６Ｃは、図１に示された実施形態で使用される２つのカムロックのうちの第２のカムロック（１２０）の底面向き斜視図である。 [0025]図６Ｄは、図１に示された実施形態で使用される２つのカムロックのうちの第２のカムロック（１２０）の上面向き斜視図である。
【図７】[0026]捩りばね（１２６）、ならびにカムロック（１２０）および捩りばね（１２６）をシャシに拘束するために使用される枢動ピン（１２５）とともに構成されていることを示す、図１に示された実施形態で使用される２つのカムロックのうちの第２のカムロック（１２０）の上面優勢斜視図（ｔｏｐ  ｄｏｍｉｎａｔｅ  ｐｅｒｓｐｅｃｔｉｖｅ  ｖｉｅｗ）である。
【図８】[0027]図８Ａは、図１に示された実施形態で使用されるピン（１２５、１３５）の斜視図である。 [0028]図８Ｂは、図１に示された実施形態で使用されるピン（１２５、１３５）の正面図である。
【図９】[0029]図１に示された実施形態で使用される２つの捩りばねのうちの第１の捩りばね（１２６）の圧縮状態における斜視図である。
【図１０】[0030]図１に示された実施形態で使用される２つの捩りばねのうちの第２の捩りばね（１３６）の圧縮状態における斜視図である。
【図１１】[0031]カムロックがカムロックのレバー部分（２５）の端部近くを押圧されたときにシャシ（１１０）と２つのカムロックのうちの第１のカムロック（１２０）との間に作り出される開口部（９２）に挿入されるストラップ（３０１）の上面後方向き斜視図（ｔｏｐ  ｒｅａｒ  ｏｒｉｅｎｔｅｄ  ｐｅｒｓｐｅｃｔｉｖｅ  ｖｉｅｗ）である。
【図１２】[0032]カムロックがカムロックのレバー部分（３５）の端部近くを押圧されたときにシャシ（１１０）と２つのカムロックのうちの第２のカムロック（１３０）との間に作り出される開口部（９４）に挿入されるストラップ（３０２）の上面前方向き斜視図である。点線矢印（９０１）は、ストラップの挿入経路を示す。
【図１３】[0033]両方のカムロック（１２０、１３０）を閉位置またはストラップロック位置で示す、装置（１００）内に固定された２つの異なるストラップ（３０１、３０２）の斜視図である。
【図１４】[0034]単一のストラップ（３２０）を輪状配置において２つの不動係止点（２５１、２５２）の周りで固定する図１による実施形態（１００）を示す斜視図である。
【図１５】[0035]単一のストラップを輪状配置において固定する図１による実施形態（１００）を示す図１４の正面図である。
【図１６】[0036]図１５に示された断面図標識に従った破断断面図である。
【図１７】[0037]単一のストラップ（３３０）を２点間配置において単一の不動係止点（２５３）の周りで固定する図１による実施形態（１００）を示す斜視図である。
【図１８】[0038]単一のストラップを輪状配置において固定する図１による実施形態（１００）を示す図１７の正面図である。
【図１９】[0039]図１８に示された断面図標識に従った破断断面図である。
【図２０】[0040]縫合部（３４２）で固定された一端の輪を含むストラップ（３４０）と図１による実施形態との未配置の構成を示す図である。
【図２１】[0041]固定された２点間配置において不動係止点を表す管の２つの部分（２５４、２５５）の周りに係止された、図１による実施形態（１００）および図２０による縫製ストラップを示す図である。
【図２２】[0042]図１による実施形態（１００）の２つのユニットおよびストラップ（３５０）の未配置の構成を示す図である。
【図２３】[0043]固定された２点間配置において不動係止点を表す管の２つの部分（２５６、２５７）の周りに係止された、図２２による２つのユニットおよびストラップを示す図である。
【図２４】[0044]図１による実施形態（１００）と、縫合部（３６２）で固定された輪によりストラップに固定された一端上の線材形フック（１９４）およびストラップの自由端により捕捉されかつストラップに沿って自由に移動できる第２の線材形フック（１９２）を含むストラップ（３６０）との未配置の状況を示す図である。
【図２５】[0045]不動係止点を表す管の２つの部分（２５８、２５９）に両方のフック（１９２、１９４）が係止されている、固定された２点間配置における図２４の未配置の状況を示す図である。
【図２６】[0046]２点間配置においてストラップ組立体（３７０）を調整可能に保持する図１による実施形態（１００）を示す図であり、ストラップ組立体が、縫合部（３７２）で固定されたストラップ内の縫製された輪によりストラップ（３７０）に固定された単一の線材形フック（１９６）を使用し、フック（１９６）およびストラップ（３７０）の反対側の端部が不動係止点を表す管の２つの部分（２６０、２６１）の周りで固定されている図である。
【図２７】[0047]図１による実施形態（１００）と、縫合部（３８２）で固定されたストラップ内の輪によりストラップに固定された一端上のゲート付きフック（１９９）およびストラップの自由端によって捕捉されかつストラップ組立体に沿って自由に移動できる第２のゲート付きフック（１９８）を含むストラップ組立体（３８０）との未配置の状況を示す図であり、図１による実施形態（１００）が、図１１に示された方法によりストラップに接続されかつ２つのゲート付きフック（１９８、１９９）の間でストラップに沿って位置決めされて示されている図である。
【図２８】[0048]２つのゲート付きフック（１９８、１９９）が、不動係止点を表す管の離れた部分（２６２、２６３）にそれぞれ取り付けられ、ストラップの自由端が、図１２に示された方法により、図１による実施形態（１００）にカムロック（１３０）によって固定された、固定された２点間配置における図２７の未配置の構成を示す図である。
【発明を実施するための形態】
【００１２】
[0049]本明細書で使用される特定の専門用語は、利便性のためのものに過ぎず、直列２重カム張力調整デバイスのためのシステムおよび方法の実施形態を限定するものとして受け取られるべきではない。一般に、直列２重カム張力調整デバイスの実施形態は、単一の本体内で配向された２つのカムロックデバイスを含む。カムロックデバイスは、他のカムロックシステムに優る大きな利点をカムロックシステムに提供するように、互いに対して位置決めおよび配向される。１つのそのような位置決めは、カムロックのうちの第１のカムロックの出口がシャシの他方のカムロックへの入口と同じ側にあることに関する。このことが、カムロックを直列構成に配置することを可能にする。さらに、カムロックの圧力表面は、直列２重カム張力調整デバイスのサイズを小さくするために、おおよそ直角をなす配置に配置される。デバイスの実施形態の他の特徴は、本明細書で論じられる。
【００１３】
[0050]参照番号
【００１４】
【表１−１】
2019500962.tif 000003
【００１５】
【表１−２】
2019500962.tif 000004
【００１６】
[0051]図１は、装置１つにつき２つのカムロック組立体（１２０、１２５、１２６および１３０、１３５、１３６）を含む直列２重カム張力調整デバイス（調整可能ストラップ装置とも呼ばれる）１００の１つの実施形態を示す。一般に、図１〜１３は、この実施形態を説明する。各カムロック組立体は、単一の構成要素（１２０、１３０）と、捩りばね（１２６、１３６）と、枢動ピン（１２５、１３５）と、装置のシャシ（１１０）に組み込まれた相補的なカムロッキング幾何形状（１１、１３）とを含むように機能的に統合された、レバーおよびカムロックハブから成る。各カムロック組立体において、枢動ピンは、捩りばねをカムロックハブ／レバー内に固定するために、また同様に両構成要素をシャシに固定するために、使用される（図２）。捩りばねは、第一に、各カムロックを常時閉位置に付勢するために使用される（図１）。図１の実施形態では特定のばねおよびカムロックが示されているが、代替形態では、様々なばね、ピン、レバー、およびカムロックが利用され得る。
【００１７】
[0052]各カムロックは、カムロックのレバー部分（２５、３５）を押してカムロックハブを枢動ピンの周りで回転させ、それによりカムロックハブとシャシ横棒（１１、１３）との間に隙間（９２、９４）を開けることにより、独立して作動され得る。図４、６、１１、および１２。隙間が存在するときはいつでも、ストラップが隙間に挿入され得る（図１１、１２）。カムロックレバーから圧力を除去することにより、捩りばねがカムロックハブを閉位置に向かって後転させて、隙間を閉じてストラップをデバイス内に捕捉することが可能になる（図１３）。
【００１８】
[0053]各カムロックハブ（１２０、１３０）に組み込まれた把持タブ（２４、３４）は、引張り方向（挿入方向の反対）に沿ってストラップに張力が印加されているときはいつでも、ストラップとハブとの間に牽引力を提供して、ロックする把持部をストラップに接近させるかまたは締め付けるさらなる付勢効果（締付け力）をもたらす。ストラップに対して引張り方向に張力を印加することでストラップを引っ張ろうとすることにより、カムロックハブをストラップ上に締め付ける装置の反発的な応答がもたらされて、装置からのストラップの引き抜けが防止される。ストラップの自由端（３９８、図１３）を使用して、ストラップが最初に装置に挿入されたのと同じ方向（９０１、図１２）に沿ってストラップを装置から引き出すことにより、配置されたストラップ（装置に挿入されたもの）が装置内で引き締められ得る。挿入方向に沿ってストラップに印加される張力がストラップにかかる反作用荷重を上回るときはいつでも、ストラップは、装置を通してさらに引き込まれる。ストラップに印加される張力は、カムロックハブが開位置まで回転してそれによりストラップにかかる締付け力が解放されてストラップが装置から解放されるまで、どちらかのカムロックレバーに圧力を印加することによって、除去され得る。
【００１９】
[0054]図１に示された実施形態では、カムロック組立体は、互いに異なるものであり、装置内で異なるカムロック作用を果たす（１２０、ストラップ上での位置的な配置、および１３０、ストラップ張力調整）。２つのカムロック組立体を区別するために、それらは、「直列（ＩＮ−ＬＩＮＥ）」カムロック組立体（１２０、１２５、１２６）、および「出口（ＥＸＩＴ）」カムロック組立体（１３０、１３５、１３６）と呼ばれる。したがって、図１に示された実施形態は、特注のシャシに収容された直列および出口カムロック組立体から成る。
【００２０】
[0055]図１における実施形態は、２．５４ｃｍ（１インチ）幅のストラップに対応するように設計されているが、他の−２．５４ｃｍ（１インチ）よりも狭いまたは広い−ストラップ幅とともに機能するように拡大縮小され得る。２．５４ｃｍ（１インチ）幅のストラップの耐荷重能力は、典型的には２２６７．９６２ｋｇ（５，０００ポンド）未満であると格付けされ、したがって、装置は金属ダイカスト材料から製作されることが適している。繊維添加物を含むまたは含まない熱可塑性プラスチックもまた使用することができ、１．９０５ｃｍ（３／４インチ）幅のストラップおよびより狭いストラップと機能するサイズとされた装置に理想的に適するはずである。装置のための構成要素を製作に利用され得る別の方法は、金属スタンピングであろう。枢動ピンは、典型的には、ステンレス鋼または高強度合金鋼で製作され、捩りばねは、ステンレス鋼線材、またはピアノ線として一般に知られている高強化鋼（ｈｉｇｈ−ｔｅｍｐｅｒｅｄ  ｓｔｅｅｌ）で製作され得る。
【００２１】
[0056]装置はストラップから解放することができ、したがって、装置は、縫い付けられるかまたは他の方法でストラップに恒久的に取り付けられるものではない。したがって、様々なタイプおよび厚さのストラップが、装置とともに互換的に使用され得る。したがって、２．５４ｃｍ（１インチ）幅のストラップとともに使用される装置の実施形態は、厚さが０．０５０８ｃｍ（０．０２０インチ）から０．２６６７ｃｍ（０．１０５インチ）に及ぶストラップに対応するように設計されており、ある厚さのストラップから別の厚さのストラップに変更する際に、装置を変更することも装置を調整することも必要としない。装置は、ポリエステル、ナイロン、またはポリプロピレンのいずれかのフィラメントを平らなまたは扁平な管状の構造で利用するストラップに適合する。
【００２２】
[0057]操作−図４Ｃ、６Ｄ、１１〜１２８
[0058]直列カムロックは、装置がストラップ（３２０〜３８０、図１４〜２８）の長さに沿ってどこにでも（無荷重状態の間は）位置的に固定されることを可能にし、一方で、出口カムロックは、デバイス内でのストラップの荷物拘束部分（３１２）の張力調整を可能にする。出口カムロックの張力調整作用は、縫製ストラップカムロックデバイスが用いるカムロック作用に似ている。
【００２３】
[0059]直列カムロックの位置決め作用は、本装置の主たる新機軸である。２つのカムロック作用、直列デバイス位置決めおよび出口ストラップ張力調整の組合せは、今まで他の調整可能ストラップデバイスによって用いられていなかった、機能の相乗効果を作り出す。
【００２４】
[0060]装置の実施形態は、図に示された２つの配置すなわち輪状配置（図１４〜１６）および２点間配置（図１７〜１９、図２０〜２８）を含む、複数の配置で使用され得る。輪状配置は、一般に縫製ストラップデバイスに関連する配置である（ストラップの一端が、縫製された輪によりカムロックデバイスに固定される）。２点間配置は、より一般に、ラチェット式張力調整デバイスに関連する。ラチェット式デバイスは、典型的には、２つのストラップを利用し、ラチェット式張力調整機構が、２つのストラップ長さの間に位置決めされてそれらを接続する。縫製ストラップデバイスと同様に、ラチェット式デバイスは、典型的には、デバイスに恒久的に定着された１つのストラップの一端を有する。
【００２５】
[0061]輪状配置では、単一のストラップが、デバイスの直列カムロック部分を通って装置から出て、第１の、第２の、または複数の係止点を越え、装置に送り返されて、出口カムロックにより装置内で固定される（図１４）。装置内に捕捉されるストラップの端部のためのこの具体的な構成はまた、別々のストラップを逆さに接続するときに利用され得る（図１３）。
【００２６】
[0062]２点間配置では、単一のストラップが、第１の係止点から装置の直列カムロック部分を通過し、次いで装置から出て第２の係止点へ向かい、そして装置に送り返されて出口カムロックにより装置内で固定される（図１７）。
【００２７】
[0063]両方の配置において、ストラップは、出口カムロック組立体から延びるストラップの自由端に張力を印加することにより、装置内で引き締められる。どちらかのカムロック組立体の解放レバーを押圧することにより、カムロックが開かれて、ウェビングの挿入または除去が可能になる。開かれたときの各レバーの変位を増大させることにより、より厚いウェビングが収容される。
【００２８】
[0064]通常閉位置では、各カムロックは、装置を１方向にのみ通過するストラップの運動を可能にする。装置におけるカムロックの配置は、それらが互いに反対に機能するような配置である。閉じられたときの直列カムロックは、装置から出るストラップの運動を妨げる。閉じられたときの出口カムロックは、装置に入るストラップの運動を妨げる。したがって、閉じられた直列カムロックは、ストラップが出口カムロックを通して引き出されるときに、装置を通って逆行するストラップのいかなる運動も妨げる。反対に、出口カムロックが閉じられたままであると、装置がストラップに沿って直列カムロックの方向に移動されるにつれて、ストラップから弛みが取り除かれる。
【００２９】
[0065]装置を通るウェビングの経路は、装置が輪状配置で配置されているのかまたは２点間配置で配置されているのかを決定する。したがって、カムロック作用の組合せ効果に結びつけられた装置におけるウェビングの特定の配置は、様々なウェビングのタイプを互換的に利用することができる万能な装置を作り出す。
【００３０】
[0066]縫製ストラップカムロックデバイスと比較した本装置の輪状配置における張力調整能力は、基本的に同じである。しかし、２つを比較すると、縫製ストラップカムロックデバイスは、特定の厚さ、長さ、および材料（強度）の単一のストラップに限定されることが明らかである。本明細書で説明される装置は、様々な長さ、厚さ、および材料のストラップを互換的に収容することができる−縫製ストラップカムロックデバイスと比較した際の主たる差別化要因である。
【００３１】
[0067]縫製ストラップデバイス（１つまたは２つのストラップを利用する）またはラチェット式デバイスと比較した本装置の２点間配置における張力調整能力は、まさに本装置がその本領を発揮するところである。縫製ストラップカムロックデバイスを利用する２点間配置は、２対１の張力調整の利点を得るのがせいぜいである。本明細書で説明される装置は、３対１の張力の利点をもたらして、装置を、占有する物理的体積が著しく小さいにもかかわらず、てこ比増幅ラチェット式デバイスに匹敵するものにする。
【００３２】
[0068]２．５４ｃｍ（１インチ）幅のストラップとともに使用するように設計されたラチェット式デバイスは、一般に、最大使用荷重をおおよそ２２６．７９６ｋｇ（５００ポンド）に制限する。これらのデバイスは、ラチェットハブ上に巻かれるストラップを収容するために、薄いストラップを使用する傾向がある。ラチェット式デバイスはまた、ストラップ上の局所的位置に不必要な重量を追加する、大型で重いものになる傾向があり、それ自体が望ましくない動的負荷をもたらす恐れがある。
【００３３】
[0069]２点間配置では、図１７において配置されたような装置においてウェビングの出口端（３９８）に印加される７７．１１０７ｋｇ（１７０ポンド）の力は、おおよそ２３１．３３２ｋｇ（５１０ポンド）の誘導された張力をストラップの耐荷重部分（３１０）に生じさせる。７７．１１０７ｋｇ（１７０ポンド）は小さい数ではないが、９０．７１８５ｋｇ（２００ポンド）の人物によって容易に達成され得る。２２．６７９６ｋｇ（５０ポンド）の緊張力を印加することは容易に達成され、その結果おおよそ６８．０３８９ｋｇ（１５０ポンド）の荷物固定力が生じ得る。
【００３４】
[0070]本装置の別の明白な利点は、配置されたストラップの長さに沿って装置がどこにでも容易に位置決めされ得ることである（図２０〜２５）。ラチェット式デバイスは、デバイスに恒久的に定着されるストラップ部分に、短いストラップを利用する。これは、荷物を拘束する状況で使用される場合にストラップ配置の一端の近くに張力調整機構が存在することを必要とする。ラチェット式デバイスの場合、ストラップをとにかく引き締めるためにラチェットレバーに接近することが必要とされるので、このことは問題にならないことがある。図２０〜２５に示された装置は、これらの制限のいずれも有さない。
【００３５】
[0071]ラチェット式デバイスは、デバイス内に保持され得るストラップの量を制限する、巻き取りスプールの一定の容量を有する。そのため、２．５４ｃｍ（１インチ）幅のストラップとの使用を目標としたこれらのタイプのデバイスは、薄いストラップ材料を使用する傾向があり、そのようなストラップ材料は、本明細書で説明される装置に容易に収容され得るストラップと比較して、耐荷重能力が低い。そのため、ラチェット式デバイスは、縫製ストラップカムロックデバイスと同様に、また、本明細書で説明される装置とは異なり、最初に供給されたストラップを使用することに限定される。
【００３６】
[0072]本明細書で説明される装置と他のラチェット式の張力調整デバイスとの１つの大きな違いは、使いやすさである。ラチェット式デバイスは、複雑なものであり、また、特定のラチェット式デバイスの操作に精通している者でない限り、デバイス内のウェビングに張力を印加することは、非常にもどかしいことになり得る。本明細書で説明される装置の場合、装置において所望の水準の張力が得られるまで、出口カムロックから延びるウェビングの自由端に張力が印加される。
【００３７】
[0073]装置内に配置されたストラップに印加された張力を解放するには、レバーを押すだけでよい。または、より具体的には、２つのレバーのどちらかを押すことは、どちらでも、親指で作動され得る。特に重要なのは、２つのカムロックのロック作用は相反する方向に機能するが、カムロックレバーを操作するのに必要とされる解放作用は方向的に同一である、ということである。どちらのレバーも、同じ手先位置から係合され得る−人間工学の観点からすれば、素晴らしい特徴である。
【００３８】
[0074]直列カムロックおよび出口カムロックは、同じロック機構を利用する。各カムロック上に存在する把持幾何形状（２４、３４）は、カムロックの回転が把持幾何形状をストラップ内に移動させる（カムロックとデバイスハウジングとの間でストラップにかかる締付け力を生成する）かまたはストラップから離れる方向に移動させる（デバイスを通過するストラップの運動を可能にする）ように、カムロック枢動軸に対して偏心して位置決めされる。
【００３９】
[0075]装置内にロックされた（カムロックとシャシとの間で板挟みにされた）ストラップを解放するために、カムロックレバーに圧力を印加することにより、カムロックに十分なトルクが生じる。カムロックレバーに印加される圧力は、ウェビングを装置内にロックさせたのとは反対の方向にカムロックを回転させる。
【００４０】
[0076]短いレバーに印加される力は、より長いレバーに同じ力が印加されるのに比べて、生成するトルクが小さい。直列カムロックのレバーは、デバイスを使用する人を手元での作業でのために適切なレバーに直感的に導くために、出口カムロックのレバーよりも長さが短い。直列カムは、無荷重状態において装置をストラップに沿って位置決めするとき（配置の最初の段取り）に使用されるので、レバーを閉位置に付勢する捩りばねに打ち勝つのに足りるだけのトルクしか必要とされない。したがって、直列カムロックのレバーは、出口カムロックのレバーよりも著しく短い。荷重状態下では、より長い出口カムロックのレバーだけが、ストラップのより高水準の張力を解放するために利用される。
【００４１】
[0077]装置のサイズを小さくするために、２つのカムのロック作用は、互いに対しておおよそ９０度回転された異なる平面において機能するようになされる。出口カムロック（１３０）のロック作用は、装置内の配置されたウェビングの軸方向におおよそ垂直になされるが、直列カムロック（１２０）の作用は、配置されたストラップの軸方向とほぼ一致する。この構成は、より小さい直列カムロックがストラップの経路に沿って最小限のウェビングの変位を引き起こすように配向される一方で遙かに長い出口カムロックレバー（３５）が装置内に横たわることを可能にする。どちらの態様も、装置の体積を小さくすることに貢献する（図１３）。
【００４２】
[0078]装置が単一のストラップとともに輪状配置または２点間配置（図１６、１９）のどちらでも使用されることを可能にするのも、２つのカムロック作用間の角度差である。単一のストラップを利用する縫製ストラップカムロックデバイスは、サイズは本明細書で説明される装置に似るが、２点間配置を実現するために２倍のウェビングを必要とする。ラチェット式デバイスは、特に２点間配置のために設計されるが、本明細書で説明される装置に比べて遙かに大きいデバイスである。
【００４３】
[0079]他のカムロックデバイスで典型的に使用されるような互い違いに配置された菱形先端ではなく、本装置のカムロック上の把持幾何形状は、指向性タブの不規則なパターンから成る。カムロック接触領域の形状は、両方のカムロックに対して同じであり、ストラップに接触する把持タブ（２４、３４）の数を最大にするように特に調整されている。これは、装置が収容することができるストラップの厚さの全範囲にわたって極めて有効な締付け力を生み出す。これはまた、カムロックと装置シャシとの間で生成される全体的なロック力を損なうことなしに、ストラップに印加されたときの締付け力の広域分配（ｂｒｏａｄ  ｄｉｓｂｕｒｓｅｍｅｎｔ）を可能にする。
【００４４】
[0080]さらに、両方のカムロック領域にわたって、シャシ（１１０）上の３つの隆起部（１４）と、カムロック（１２０、１３０）上の相補的に係合する谷部（２１〜２３、３１〜３３）とが、ストラップに対して軸方向に延びる。これらの隆起部／谷部は、ストラップとカムロックとの間の係合を強化する、薄いストラップのより大きな変形を生じさせるが、薄いストラップへの影響はほとんどない。厚いストラップは、その厚さだけで、カムロック把持タブ（２４、３４）に適切に係合する。これらの特徴は、多様なストラップ厚さに対応する装置の能力を向上させる。
【００４５】
[0081]いくつかの実施形態では、さらなる強化が装置に取り入れられる。装置が接触し得る表面を保護するために、低デュロメータの事後成形されたまたはシール状の（ｐｅｅｌ−ｎ−ｓｔｉｃｋ）弾性保護片（１９０）が、直列カムロックの反対側のシャシ（１１０）の裏側に貼り付けられ得る（図３Ａ、３Ｄ）。装置のこの特定の領域は別として、シャシの残りの部分は、デバイス内に配置されたストラップにより潜在的な接触面から緩衝される。
【００４６】
[0082]上述の詳細な説明において、特定の実施形態が詳細に説明されたが、本開示の全体的な教示および本開示の広範な発明概念を踏まえてそれらの詳細に対する様々な修正形態および代替形態が開発され得ることが、当業者には理解されるであろう。したがって、本開示の範囲は、本明細書で開示された具体的な例および実施態様に限定されるものではなく、添付の特許請求の範囲によって定められるその精神および範囲に含まれる修正形態、およびそのあらゆる均等物を含むように意図されていることが、理解される。
【図１】
2019500962.tif 000005
【図２】
2019500962.tif 000006
【図３Ａ】
2019500962.tif 000007
【図３Ｂ】
2019500962.tif 000008
【図３Ｃ】
2019500962.tif 000009
【図３Ｄ】
2019500962.tif 000010
【図４Ａ】
2019500962.tif 000011
【図４Ｂ】
2019500962.tif 000012
【図４Ｃ】
2019500962.tif 000013
【図４Ｄ】
2019500962.tif 000014
【図５】
2019500962.tif 000015
【図６Ａ】
2019500962.tif 000016
【図６Ｂ】
2019500962.tif 000017
【図６Ｃ】
2019500962.tif 000018
【図６Ｄ】
2019500962.tif 000019
【図７】
2019500962.tif 000020
【図８Ａ】
2019500962.tif 000021
【図８Ｂ】
2019500962.tif 000022
【図９】
2019500962.tif 000023
【図１０】
2019500962.tif 000024
【図１１】
2019500962.tif 000025
【図１２】
2019500962.tif 000026
【図１３】
2019500962.tif 000027
【図１４】
2019500962.tif 000028
【図１５】
2019500962.tif 000029
【図１６】
2019500962.tif 000030
【図１７】
2019500962.tif 000031
【図１８】
2019500962.tif 000032
【図１９】
2019500962.tif 000033
【図２０】
2019500962.tif 000034
【図２１】
2019500962.tif 000035
【図２２】
2019500962.tif 000036
【図２３】
2019500962.tif 000037
【図２４】
2019500962.tif 000038
【図２５】
2019500962.tif 000039
【図２６】
2019500962.tif 000040
【図２７】
2019500962.tif 000041
【図２８】
2019500962.tif 000042
【国際調査報告】
2019500962.tif 000043